(57)【要約】【課題】携帯電話端末の紛失、盗難などによる個人情報の流出を防止可能な個人情報保護方法を提供する。【解決手段】公衆網用の無線携帯電話基地局１０４と特定のプライベート無線網の無線ＬＡＮアクセスポイント１０１との双方に接続可能な携帯電話端末１０３が、特定のプライベート無線網の無線ＬＡＮエリア１０２内に入った際に、携帯電話端末１０３の個人情報を扱うアドレス帳機能１０３ａ、ブックマーク機能１０３ｂメールボックス機能１０３ｃの少なくとも１つのデータ処理機能のうち少なくとも一部を活性化し、一方、携帯電話端末１０６のように、携帯電話端末１０３が無線ＬＡＮエリア１０２外に退出し、公衆網用の携帯電話エリア１０５内に移動した場合、活性化されていた前記機能の少なくとも一部の機能を不活性化する。複数のプライベート無線網または携帯電話端末のユーザの如何に応じ活性化／不活性化する機能を変更可能とする。【選択図】        図１
2007318245.tif 000002
【特許請求の範囲】
【請求項１】
不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、前記データ処理機能の少なくとも１つのデータ処理機能のうち少なくとも一部の機能を活性化する活性化手段と、前記プライベート無線網の無線エリア外に退出する際に、前記活性化手段により活性化されていた前記機能の少なくとも一部の機能を不活性化する不活性化手段と、を備えることを特徴とする携帯電話端末。
【請求項２】
請求項１に記載の携帯電話端末において、前記プライベート網が複数設置されており、複数設置された前記プライベート無線網の如何に応じて、前記活性化手段により活性化し、前記不活性化手段により不活性化する、前記データ処理機能の少なくとも１つのデータ処理機能のうち少なくとも一部の機能が異なることを特徴とする携帯電話端末。
【請求項３】
請求項１または２に記載の携帯電話端末において、使用する当該携帯電話端末のユーザに応じて、前記活性化手段により活性化し、前記不活性化手段により不活性化する、前記データ処理機能の少なくとも１つのデータ処理機能のうち少なくとも一部の機能が異なることを特徴とする携帯電話端末。
【請求項４】
不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、前記アドレス帳機能が使用可能なアドレス帳情報を格納したアドレス帳サーバ、前記ブックマーク機能が使用可能なブックマーク情報を格納したブックマーク情報サーバ、前記メールボックス機能が使用可能な電子メール情報を格納したメールボックスサーバ、の少なくとも１つのサーバから当該携帯電話端末のユーザに関する情報、および／または、各ユーザ共通の情報のうちの少なくとも一部の情報をダウンロードして保存するダウンロード手段を備え、かつ、前記プライベート無線網の無線エリア外に退出する際に、前記ダウンロード手段によりダウンロードして保存されていた前記情報の少なくとも一部を削除する削除手段を備えることを特徴とする携帯電話端末。
【請求項５】
請求項４に記載の携帯電話端末において、前記プライベート網が複数設置されており、複数設置された前記プライベート無線網の如何に応じて、前記ダウンロード手段によりダウンロードして保存し、前記削除手段により削除する、前記情報のうちの少なくとも一部の情報が異なることを特徴とする携帯電話端末。
【請求項６】
請求項４または５に記載の携帯電話端末において、使用する当該携帯電話端末のユーザに応じて、前記ダウンロード手段によりダウンロードして保存し、前記削除手段により削除する、前記情報のうちの少なくとも一部の情報が異なることを特徴とする携帯電話端末。
【請求項７】
不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、暗号化されたアドレス帳情報、暗号化されたブックマーク情報、暗号化された電子メール情報のうち、少なくとも１つの情報の少なくとも一部の情報を復元する復元手段を備え、かつ、前記プライベート無線網の無線エリア外に退出する際に、前記復元手段により復元されていた前記情報の少なくとも一部を暗号化する暗号化手段を備えることを特徴とする携帯電話端末。
【請求項８】
不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、暗号鍵データを格納する暗号鍵サーバから、当該携帯電話端末のユーザ用の暗号鍵データを取得する暗号鍵取得手段と、暗号化されたアドレス帳情報、暗号化されたブックマーク情報、暗号化された電子メール情報のうち、少なくとも１つの情報の少なくとも一部の情報を、前記暗号鍵取得手段により取得した前記暗号鍵データを用いて復元する復元手段を備え、かつ、前記復元手段により復元されていた前記情報の少なくとも一部を暗号化する暗号化手段を備えることを特徴とする携帯電話端末。
【請求項９】
請求項８に記載の携帯電話端末において、前記プライベート無線網の無線エリア外に退出する際に、復元されていた前記情報の少なくとも１つの情報の少なくとも一部の情報を前記暗号化手段により暗号化する暗号鍵データが、前記プライベート無線網の無線エリア内に入った際に前記暗号鍵取得手段により取得した前記暗号鍵データと同一かあるいは異なることを特徴とする携帯電話端末。
【請求項１０】
請求項７ないし９のいずれかに記載の携帯電話端末において、前記プライベート網が複数設置されており、複数設置された前記プライベート無線網の如何に応じて、前記復元手段により復元し、前記暗号化手段により暗号化する、前記情報のうちの少なくとも一部の情報が異なることを特徴とする携帯電話端末。
【請求項１１】
請求項７ないし１０のいずれかに記載の携帯電話端末において、使用する当該携帯電話端末のユーザに応じて、前記復元手段により復元し、前記暗号化手段により暗号化する、前記情報のうちの少なくとも一部の情報が異なることを特徴とする携帯電話端末。
【請求項１２】
請求項７ないし１１のいずれかに記載の携帯電話端末において、前記プライベート無線網が、無線ＬＡＮとして構成されていることを特徴とする携帯電話端末。
【請求項１３】
不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、該携帯電話端末の発呼相手とする携帯電話端末もしくは電話端末に対して前記無線携帯電話網もしくは前記公衆電話網もしくは前記ＩＰ網を介して発呼して、該携帯電話端末からの呼を中継することを特徴とする携帯電話システム。
【請求項１４】
不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、前記無線携帯電話網もしくは前記公衆電話網もしくは前記ＩＰ網を介して該携帯電話端末からの呼を転送することを特徴とする携帯電話システム。
【請求項１５】
請求項１３または１４に記載の携帯電話システムにおいて、前記アドレス帳サーバは、着信してきた前記携帯電話端末から送信されてくるＩＳＤＮ用のサブアドレス、もしくは、ＤＴＭＦ信号、もしくは、音声情報、のいずれかにより、該携帯電話端末の発呼相手とする電話番号を検索することを可能とすることを特徴とする携帯電話システム。
【請求項１６】
請求項１３ないし１５のいずれかに記載の携帯電話システムにおいて、前記アドレス帳サーバは、当該アドレス帳サーバに格納したアドレス情報の使用および／または、当該携帯電話端末からの呼の中継または転送の実施の可否を、着信した携帯電話端末の識別情報によって判断することを特徴とする携帯電話システム。
【請求項１７】
請求項１３ないし１６のいずれかに記載の携帯電話システムにおいて、さらに、各携帯電話端末のユーザの現在の所在場所を登録するプレゼンス装置を備え、前記アドレス帳サーバは、前記携帯電話端末から着信があった場合、前記プレゼンス装置に登録されている当該携帯電話端末のユーザの現在の所在場所に応じて、当該アドレス帳サーバからの呼の中継または転送の可否を決定することを特徴とする携帯電話システム。
【請求項１８】
不特定多数のユーザが利用可能な無線携帯電話網を介してＩＰ網に接続する手段を少なくとも備えた携帯電話端末と、前記携帯電話端末ごとに発呼相手とする携帯電話端末もしくは電話端末の電話番号をアドレス帳データとして格納するアドレス帳サーバと、前記ＩＰ網と前記アドレス帳サーバとに接続されて、前記携帯電話端末と前記アドレス帳サーバとの間をＨＴＴＰもしくはＨＴＴＰＳプロトコルに従いデータ通信するＨＴＴＰサーバと、を少なくとも含んで構成される携帯電話システムにおいて、前記携帯電話端末が、前記アドレス帳サーバに格納された当該携帯電話端末の前記アドレス帳データを取得する場合、前記無線携帯電話網、前記ＩＰ網を介して、前記ＨＴＴＰサーバに接続し、前記ＨＴＴＰサーバを経由して、前記アドレス帳サーバからの前記アドレス帳データをＨＴＴＰもしくはＨＴＴＰＳプロトコルに従って取得することを特徴とする携帯電話システム。
【請求項１９】
不特定多数のユーザが利用可能な無線携帯電話網を介してＩＰ網に接続する手段を少なくとも備えた携帯電話端末と、前記携帯電話端末ごとにウェブサーバのアドレスをブックマーク情報として格納するブックマーク情報サーバと、前記ＩＰ網と前記ブックマーク情報サーバとに接続されて、前記携帯電話端末と前記ブックマーク情報サーバとの間をＨＴＴＰもしくはＨＴＴＰＳプロトコルに従いデータ通信するＨＴＴＰサーバと、を少なくとも含んで構成される携帯電話システムにおいて、前記携帯電話端末が、前記ブックマーク情報サーバに格納された当該携帯電話端末の前記ブックマーク情報を取得する場合、前記無線携帯電話網、前記ＩＰ網を介して、前記ＨＴＴＰサーバに接続し、前記ＨＴＴＰサーバを経由して、前記ブックマーク情報サーバからの前記ブックマーク情報をＨＴＴＰもしくはＨＴＴＰＳプロトコルに従って取得することを特徴とする携帯電話システム。
【請求項２０】
不特定多数のユーザが利用可能な無線携帯電話網を介してＩＰ網に接続する手段を少なくとも備えた携帯電話端末と、前記携帯電話端末ごとに電子メール情報を格納するメールボックスサーバと、前記ＩＰ網と前記メールボックスサーバとに接続されて、前記携帯電話端末と前記メールボックスサーバとの間をＨＴＴＰもしくはＨＴＴＰＳプロトコルに従いデータ通信するＨＴＴＰサーバと、を少なくとも含んで構成される携帯電話システムにおいて、前記携帯電話端末が、前記メールボックスサーバに格納された当該携帯電話端末の前記電子メール情報を取得する場合、前記無線携帯電話網、前記ＩＰ網を介して、前記ＨＴＴＰサーバに接続し、前記ＨＴＴＰサーバを経由して、前記メールボックスサーバからの前記電子メール情報をＨＴＴＰもしくはＨＴＴＰＳプロトコルに従って取得することを特徴とする携帯電話システム。
【請求項２１】
請求項１８ないし２０のいずれかに記載の携帯電話システムにおいて、前記アドレス帳サーバまたは前記ブックマーク情報サーバまたは前記メールボックスサーバは、当該アドレス帳サーバに格納した前記アドレス帳データまたは当該ブックマーク情報サーバに格納した前記ブックマーク情報または当該メールボックスサーバに格納した前記電子メール情報の使用の可否を、前記ＨＴＴＰサーバ経由で接続要求する携帯電話端末の識別情報によって判断することを特徴とする携帯電話システム。
【請求項２２】
請求項１８ないし２１のいずれかに記載の携帯電話システムにおいて、前記ＨＴＴＰサーバは、前記アドレス帳サーバまたは前記ブックマーク情報サーバまたは前記メールボックスサーバへの接続の可否を、着信した携帯電話端末の識別情報によって判断することを特徴とする携帯電話システム。
【請求項２３】
請求項１８ないし２２のいずれかに記載の携帯電話システムにおいて、前記アドレス帳サーバまたは前記ブックマーク情報サーバまたは前記メールボックスサーバまたは前記ＨＴＴＰサーバは、前記携帯電話端末からの接続に際して、当該携帯電話端末のユーザ認証を行うことを可能とすることを特徴とする携帯電話システム。
【請求項２４】
請求項１８ないし２３のいずれかに記載の携帯電話システムにおいて、さらに、各携帯電話端末のユーザの現在の所在場所を登録するプレゼンス装置を備え、前記アドレス帳サーバまたは前記ブックマーク情報サーバまたは前記メールボックスサーバまたは前記ＨＴＴＰサーバは、前記携帯電話端末からの接続に際して、前記プレゼンス装置に登録されている当該携帯電話端末のユーザの現在の所在場所に応じて、当該携帯電話端末との接続の可否を決定することを特徴とする携帯電話システム。
【請求項２５】
不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、アドレス帳機能、ブックマーク機能、メールボックス機能、のデータ処理機能の少なくとも１つのデータ処理機能のうち少なくとも一部の機能を活性化し、前記プライベート無線網の無線エリア外に退出する際に、活性化されていた前記機能の少なくとも一部の機能を不活性化することを特徴とする個人情報保護方法。
【請求項２６】
請求項２５に記載の個人情報保護方法において、前記プライベート網が複数設置されており、複数設置された前記プライベート無線網の如何に応じて、前記プライベート無線網の無線エリア内に入った際に活性化し、また、退出する際に不活性化する、前記データ処理機能の少なくとも１つのデータ処理機能のうち少なくとも一部の機能が異なることを特徴とする個人情報保護方法。
【請求項２７】
請求項２５または２６に記載の個人情報保護方法において、使用する前記携帯電話端末のユーザに応じて、前記プライベート無線網の無線エリア内に入った際に活性化し、また、退出する際に不活性化する、前記データ処理機能の少なくとも１つのデータ処理機能のうち少なくとも一部の機能が異なることを特徴とする個人情報保護方法。
【請求項２８】
不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、前記アドレス帳機能が使用可能なアドレス帳情報を格納したアドレス帳サーバ、前記ブックマーク機能が使用可能なブックマーク情報を格納したブックマーク情報サーバ、前記メールボックス機能が使用可能な電子メール情報を格納したメールボックスサーバ、の少なくとも１つのサーバから当該携帯電話端末のユーザに関する情報、および／または、各ユーザ共通の情報のうちの少なくとも一部の情報をダウンロードして保存し、一方、前記プライベート無線網の無線エリア外に退出する際に、ダウンロードして保存されていた前記情報の少なくとも一部を削除することを特徴とする個人情報保護方法。
【請求項２９】
請求項２８に記載の個人情報保護方法において、前記プライベート網が複数設置されており、複数設置された前記プライベート無線網の如何に応じて、前記プライベート無線網の無線エリア内に入った際にダウンロードして保存し、退出する際に削除する、前記情報のうちの少なくとも一部の情報が異なることを特徴とする個人情報保護方法。
【請求項３０】
請求項２８または２９に記載の個人情報保護方法において、使用する前記携帯電話端末のユーザに応じて、前記プライベート無線網の無線エリア内に入った際にダウンロードして保存し、退出する際に削除する、前記情報のうちの少なくとも一部の情報が異なることを特徴とする個人情報保護方法。
【請求項３１】
不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、暗号化されたアドレス帳情報、暗号化されたブックマーク情報、暗号化された電子メール情報のうち、少なくとも１つの情報の少なくとも一部の情報を復元し、一方、前記プライベート無線網の無線エリア外に退出する際に、復元されていた前記情報の少なくとも一部を暗号化することを特徴とする個人情報保護方法。
【請求項３２】
不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、暗号鍵データを格納する暗号鍵サーバから、当該携帯電話端末のユーザ用の暗号鍵データを取得して、暗号化されたアドレス帳情報、暗号化されたブックマーク情報、暗号化された電子メール情報のうち、少なくとも１つの情報の少なくとも一部の情報を、復元し、一方、前記プライベート無線網の無線エリア外に退出する際に、復元されていた前記情報の少なくとも一部を暗号化することを特徴とする個人情報保護方法。
【請求項３３】
請求項３２に記載の個人情報保護方法において、前記プライベート無線網の無線エリア外に退出する際に、復元されていた前記情報の少なくとも１つの情報の少なくとも一部の情報を前記暗号化手段により暗号化する暗号鍵データが、前記プライベート無線網の無線エリア内に入った際に前記暗号鍵サーバから取得した前記暗号鍵データと同一かあるいは異なることを特徴とする個人情報保護方法。
【請求項３４】
請求項３１ないし３３のいずれかに記載の個人情報保護方法において、前記プライベート網が複数設置されており、複数設置された前記プライベート無線網の如何に応じて、前記プライベート無線網の無線エリア内に入った際に復元し、無線エリア外に退出する際に暗号化する、前記情報のうちの少なくとも一部の情報が異なることを特徴とする個人情報保護方法。
【請求項３５】
請求項３１ないし３４のいずれかに記載の個人情報保護方法において、使用する前記携帯電話端末のユーザに応じて、前記プライベート無線網の無線エリア内に入った際に復元し、無線エリア外に退出する際に暗号化する、前記情報のうちの少なくとも一部の情報が異なることを特徴とする個人情報保護方法。
【請求項３６】
請求項２５ないし３５のいずれかに記載の個人情報保護方法において、前記プライベート無線網が、無線ＬＡＮとして構成されていることを特徴とする個人情報保護方法。
【請求項３７】
不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて前記携帯電話端末に格納されている個人情報を保護する個人情報保護方法であって、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、該携帯電話端末の発呼相手とする携帯電話端末もしくは電話端末に対して前記無線携帯電話網もしくは前記公衆電話網もしくは前記ＩＰ網を介して発呼して、該携帯電話端末からの呼を中継することを特徴とする個人情報保護方法。
【請求項３８】
不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて前記携帯電話端末に格納されている個人情報を保護する個人情報保護方法であって、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、前記無線携帯電話網もしくは前記公衆電話網もしくは前記ＩＰ網を介して該携帯電話端末からの呼を転送することを特徴とする個人情報保護方法。
【請求項３９】
請求項３７または３８に記載の個人情報保護方法において、前記アドレス帳サーバは、着信してきた前記携帯電話端末から送信されてくるＩＳＤＮ用のサブアドレス、もしくは、ＤＴＭＦ信号、もしくは、音声情報、のいずれかにより、該携帯電話端末の発呼相手とする電話番号を検索することを可能とすることを特徴とする個人情報保護方法。
【請求項４０】
請求項３７ないし３９のいずれかに記載の個人情報保護方法において、前記アドレス帳サーバは、当該アドレス帳サーバに格納したアドレス情報の使用および／または、当該携帯電話端末からの呼の中継または転送の可否を、着信した携帯電話端末の識別情報によって判断することを特徴とする個人情報保護方法。
【請求項４１】
請求項３７ないし４０のいずれかに記載の個人情報保護方法において、さらに、各携帯電話端末のユーザの現在の所在場所を登録するプレゼンス装置を備え、前記アドレス帳サーバは、前記携帯電話端末から着信があった場合、前記プレゼンス装置に登録されている当該携帯電話端末のユーザの現在の所在場所に応じて、当該アドレス帳サーバからの呼の中継または転送の可否を決定することを特徴とする個人情報保護方法。
【請求項４２】
不特定多数のユーザが利用可能な無線携帯電話網を介してＩＰ網に接続する手段を少なくとも備えた携帯電話端末と、前記携帯電話端末ごとに発呼相手とする携帯電話端末もしくは電話端末の電話番号をアドレス帳データとして格納するアドレス帳サーバと、前記ＩＰ網と前記アドレス帳サーバとに接続されて、前記携帯電話端末と前記アドレス帳サーバとの間をＨＴＴＰもしくはＨＴＴＰＳプロトコルに従いデータ通信するＨＴＴＰサーバと、を少なくとも含んで構成される携帯電話システムにおいて前記携帯電話端末に格納されている個人情報を保護する個人情報保護方法であって、前記携帯電話端末が、前記アドレス帳サーバに格納された当該携帯電話端末の前記アドレス帳データを取得する場合、前記無線携帯電話網、前記ＩＰ網を介して、前記ＨＴＴＰサーバに接続し、前記ＨＴＴＰサーバを経由して、前記アドレス帳サーバからの前記アドレス帳データをＨＴＴＰもしくはＨＴＴＰＳプロトコルに従って取得することを特徴とする個人情報保護方法。
【請求項４３】
不特定多数のユーザが利用可能な無線携帯電話網を介してＩＰ網に接続する手段を少なくとも備えた携帯電話端末と、前記携帯電話端末ごとにウェブサーバのアドレスをブックマーク情報として格納するブックマーク情報サーバと、前記ＩＰ網と前記ブックマーク情報サーバとに接続されて、前記携帯電話端末と前記ブックマーク情報サーバとの間をＨＴＴＰもしくはＨＴＴＰＳプロトコルに従いデータ通信するＨＴＴＰサーバと、を少なくとも含んで構成される携帯電話システムにおいて前記携帯電話端末に格納されている個人情報を保護する個人情報保護方法であって、前記携帯電話端末が、前記ブックマーク情報サーバに格納された当該携帯電話端末の前記ブックマーク情報を取得する場合、前記無線携帯電話網、前記ＩＰ網を介して、前記ＨＴＴＰサーバに接続し、前記ＨＴＴＰサーバを経由して、前記ブックマーク情報サーバからの前記ブックマーク情報をＨＴＴＰもしくはＨＴＴＰＳプロトコルに従って取得することを特徴とする個人情報保護方法。
【請求項４４】
不特定多数のユーザが利用可能な無線携帯電話網を介してＩＰ網に接続する手段を少なくとも備えた携帯電話端末と、前記携帯電話端末ごとに電子メール情報を格納するメールボックスサーバと、前記ＩＰ網と前記メールボックスサーバとに接続されて、前記携帯電話端末と前記メールボックスサーバとの間をＨＴＴＰもしくはＨＴＴＰＳプロトコルに従いデータ通信するＨＴＴＰサーバと、を少なくとも含んで構成される携帯電話システムにおいて前記携帯電話端末に格納されている個人情報を保護する個人情報保護方法であって、前記携帯電話端末が、前記メールボックスサーバに格納された当該携帯電話端末の前記電子メール情報を取得する場合、前記無線携帯電話網、前記ＩＰ網を介して、前記ＨＴＴＰサーバに接続し、前記ＨＴＴＰサーバを経由して、前記メールボックスサーバからの前記電子メール情報をＨＴＴＰもしくはＨＴＴＰＳプロトコルに従って取得することを特徴とする個人情報保護方法。
【請求項４５】
請求項４２ないし４４のいずれかに記載の個人情報保護方法において、前記アドレス帳サーバまたは前記ブックマーク情報サーバまたは前記メールボックスサーバは、当該アドレス帳サーバに格納した前記アドレス帳データまたは当該ブックマーク情報サーバに格納した前記ブックマーク情報または当該メールボックスサーバに格納した前記電子メール情報の使用の可否を前記ＨＴＴＰサーバ経由で接続要求する携帯電話端末の識別情報によって判断することを特徴とする個人情報保護方法。
【請求項４６】
請求項４２ないし４５のいずれかに記載の個人情報保護方法において、前記ＨＴＴＰサーバは、前記アドレス帳サーバまたは前記ブックマーク情報サーバまたは前記メールボックスサーバへの接続の可否を、着信した携帯電話端末の識別情報によって判断することを特徴とする個人情報保護方法。
【請求項４７】
請求項４２ないし４６のいずれかに記載の個人情報保護方法において、前記アドレス帳サーバまたは前記ブックマーク情報サーバまたは前記メールボックスサーバまたは前記ＨＴＴＰサーバは、前記携帯電話端末からの接続に際して、当該携帯電話端末のユーザ認証を行うことを可能とすることを特徴とする個人情報保護方法。
【請求項４８】
請求項４２ないし４７のいずれかに記載の個人情報保護方法において、さらに、各携帯電話端末のユーザの現在の所在場所を登録するプレゼンス装置を備え、前記アドレス帳サーバまたは前記ブックマーク情報サーバまたは前記メールボックスサーバまたは前記ＨＴＴＰサーバは、前記携帯電話端末からの接続に際して、前記プレゼンス装置に登録されている当該携帯電話端末のユーザの現在の所在場所に応じて、当該携帯電話端末との接続の可否を決定することを特徴とする個人情報保護方法。
【請求項４９】
請求項２５ないし４８のいずれかに記載の個人情報保護方法を、コンピュータにより実行可能なプログラムとして実現することを特徴とする個人情報保護プログラム。
【請求項５０】
請求項４９に記載の個人情報保護プログラムを、コンピュータにより読み取り可能な記録媒体に格納していることを特徴とするプログラム記録媒体。
【発明の詳細な説明】
【技術分野】
【０００１】
本発明は、携帯電話システム、携帯電話端末、個人情報保護方法、個人情報保護プログラムおよびプログラム記録媒体に関し、特に、携帯電話端末に格納される個人情報を保護する携帯電話システム、携帯電話端末、個人情報保護方法、個人情報保護プログラムおよびプログラム記録媒体に関する。
【背景技術】
【０００２】
携帯電話端末は、一般に、電話番号や電子メールアドレスの情報を格納するアドレス帳機能を有しており、ユーザが、携帯電話端末のアドレス帳を検索することによって、所望の相手に対して、電話を発呼したり、電子メールを送信したりすることを簡単に行うことができる。
【０００３】
また、携帯電話端末は、受信した電子メールについても、電子メール情報を保存するメールボックス機能を有している。さらに、インターネットのウェブページへの接続が可能な携帯電話端末は、ユーザのお気に入りのウェブページに簡単にアクセスできるように、ウェブページのＵＲＬを登録するブックマーク機能を備えている（非特許文献１、２、３、４）。
【非特許文献１】Handley, M., Schulzrinne, H., Schooler, E., Rosenberg, J., " ＳＩＰ:Session Initiation Protocol", RFC 2543, March 1999
【非特許文献２】Fielding, R., Gettys, J., Mogul, J., Frystyk, H., Masinter, L.,Leach, P., Berners-Lee, T., " Hypertext Transfer Protocol --HTTP/1.1", RFC 2616, June 1999
【非特許文献３】Berners-Lee, T., Connolly, D., "Hypertext Markup Language -2.0", RFC 1866, ＮNovember 1995
【非特許文献４】Crispin, M., “INTERNET MESSAGE ACCESS PROTOCOL - VERSION 4rev1”, RFC2060, December 1996
【発明の開示】
【発明が解決しようとする課題】
【０００４】
しかしながら、前述のようなアドレス帳機能、ブックマーク機能、メールボックス機能に含まれる、登録名称や電話番号や電子メールアドレス、ブックマーク情報、電子メール情報などは、個人情報であり、近年、個人情報保護に関する要求が高まる中、携帯電話端末の紛失や盗難による個人情報の流出が問題になってきている。
【０００５】
このため、一部の携帯電話端末については、パスワードによるアドレス帳の閲覧制限およびメールボックスの閲覧制限や、さらには、発呼制限の機能を備えているものも登場してきているが、パスワードの設定漏れや、手動でのセキュリティモードへの切り替えによる、ユーザのモード切り替え忘れなど、ユーザ側の負担が大きく、加えて、パスワードの桁数不足等の問題もあり、十分な個人情報流出対策が実現されているとは言い難い。
【０００６】
また、近年のモバイルセントレックスの高まりにより、携帯電話としても、また、企業内等の無線ＬＡＮによる内線電話としても、両方で使用することができる、業務用の携帯電話端末が普及してきている。このような、業務用に使用する携帯電話端末のアドレス帳機能に含まれる電話番号やメールアドレス情報、電子メール情報は、顧客の秘密情報であり、流出の場合のインパクトは計り知れないものがある。
【０００７】
本発明は、以上のような事情を考慮してなされたものであり、本発明の第１の目的は、携帯電話端末のアドレス帳機能や、ブックマーク機能、メールボックス機能を、当該携帯電話端末のユーザ以外が利用することができない仕組みを実現することにより、携帯電話端末の紛失・盗難による個人情報の流出を防止することができる携帯電話システム、携帯電話端末、個人情報保護方法、個人情報保護プログラムおよびプログラム記録媒体を提供することにある。
【０００８】
また、本発明の第２の目的は、ユーザの負担をできるだけ小さくしながら、第１の目的を達成する携帯電話システム、携帯電話端末、個人情報保護方法、個人情報保護プログラムおよびプログラム記録媒体を提供することにある。
【課題を解決するための手段】
【０００９】
前述の課題を解決するため、本発明による携帯電話システム、携帯電話端末、個人情報保護方法、個人情報保護プログラムおよびプログラム記録媒体は、次のような特徴的な構成を採用している。
【００１０】
（１）不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、前記データ処理機能の少なくとも１つのデータ処理機能のうち少なくとも一部の機能を活性化する活性化手段と、前記プライベート無線網の無線エリア外に退出する際に、前記活性化手段により活性化されていた前記機能の少なくとも一部の機能を不活性化する不活性化手段と、を備える携帯電話端末。
（２）上記（１）の携帯電話端末において、前記プライベート網が複数設置されており、複数設置された前記プライベート無線網の如何に応じて、前記活性化手段により活性化し、前記不活性化手段により不活性化する、前記データ処理機能の少なくとも１つのデータ処理機能のうち少なくとも一部の機能が異なる携帯電話端末。
（３）上記（１）または（２）の携帯電話端末において、使用する当該携帯電話端末のユーザに応じて、前記活性化手段により活性化し、前記不活性化手段により不活性化する、前記データ処理機能の少なくとも１つのデータ処理機能のうち少なくとも一部の機能が異なる携帯電話端末。
（４）不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、前記アドレス帳機能が使用可能なアドレス帳情報を格納したアドレス帳サーバ、前記ブックマーク機能が使用可能なブックマーク情報を格納したブックマーク情報サーバ、前記メールボックス機能が使用可能な電子メール情報を格納したメールボックスサーバ、の少なくとも１つのサーバから当該携帯電話端末のユーザに関する情報、および／または、各ユーザ共通の情報のうちの少なくとも一部の情報をダウンロードして保存するダウンロード手段を備え、かつ、前記プライベート無線網の無線エリア外に退出する際に、前記ダウンロード手段によりダウンロードして保存されていた前記情報の少なくとも一部を削除する削除手段を備える携帯電話端末。
（５）上記（４）の携帯電話端末において、前記プライベート網が複数設置されており、複数設置された前記プライベート無線網の如何に応じて、前記ダウンロード手段によりダウンロードして保存し、前記削除手段により削除する、前記情報のうちの少なくとも一部の情報が異なる携帯電話端末。
（６）上記（４）または（５）の携帯電話端末において、使用する当該携帯電話端末のユーザに応じて、前記ダウンロード手段によりダウンロードして保存し、前記削除手段により削除する、前記情報のうちの少なくとも一部の情報が異なる携帯電話端末。
（７）不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、暗号化されたアドレス帳情報、暗号化されたブックマーク情報、暗号化された電子メール情報のうち、少なくとも１つの情報の少なくとも一部の情報を復元する復元手段を備え、かつ、前記プライベート無線網の無線エリア外に退出する際に、前記復元手段により復元されていた前記情報の少なくとも一部を暗号化する暗号化手段を備える携帯電話端末。
（８）不特定多数のユーザが利用可能な公衆無線携帯電話網と、特定ユーザにクローズして利用されるプライベート無線網との双方に接続することができる携帯電話端末において、アドレス帳機能、ブックマーク機能、メールボックス機能、のデータ処理機能のうち、少なくとも１つのデータ処理機能を備え、かつ、当該携帯電話端末が、前記プライベート無線網の無線エリア内に入った際に、暗号鍵データを格納する暗号鍵サーバから、当該携帯電話端末のユーザ用の暗号鍵データを取得する暗号鍵取得手段と、暗号化されたアドレス帳情報、暗号化されたブックマーク情報、暗号化された電子メール情報のうち、少なくとも１つの情報の少なくとも一部の情報を、前記暗号鍵取得手段により取得した前記暗号鍵データを用いて復元する復元手段を備え、かつ、前記復元手段により復元されていた前記情報の少なくとも一部を暗号化する暗号化手段を備える携帯電話端末。
（９）上記（８）の携帯電話端末において、前記プライベート無線網の無線エリア外に退出する際に、復元されていた前記情報の少なくとも１つの情報の少なくとも一部の情報を前記暗号化手段により暗号化する暗号鍵データが、前記プライベート無線網の無線エリア内に入った際に前記暗号鍵取得手段により取得した前記暗号鍵データと同一かあるいは異なる携帯電話端末。
（１０）上記（７）ないし（９）のいずれかの携帯電話端末において、前記プライベート網が複数設置されており、複数設置された前記プライベート無線網の如何に応じて、前記復元手段により復元し、前記暗号化手段により暗号化する、前記情報のうちの少なくとも一部の情報が異なる携帯電話端末。
（１１）上記（７）ないし（１０）のいずれかの携帯電話端末において、使用する当該携帯電話端末のユーザに応じて、前記復元手段により復元し、前記暗号化手段により暗号化する、前記情報のうちの少なくとも一部の情報が異なる携帯電話端末。
（１２）上記（７）ないし（１１）のいずれかの携帯電話端末において、前記プライベート無線網が、無線ＬＡＮとして構成されている携帯電話端末。
（１３）不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、該携帯電話端末の発呼相手とする携帯電話端末もしくは電話端末に対して前記無線携帯電話網もしくは前記公衆電話網もしくは前記ＩＰ網を介して発呼して、該携帯電話端末からの呼を中継する携帯電話システム。
（１４）不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、前記無線携帯電話網もしくは前記公衆電話網もしくは前記ＩＰ網を介して該携帯電話端末からの呼を転送する携帯電話システム。
（１５）上記（１３）または（１４）の携帯電話システムにおいて、前記アドレス帳サーバは、着信してきた前記携帯電話端末から送信されてくるＩＳＤＮ用のサブアドレス、もしくは、ＤＴＭＦ信号、もしくは、音声情報、のいずれかにより、該携帯電話端末の発呼相手とする電話番号を検索することを可能とする携帯電話システム。
（１６）上記（１３）ないし（１５）のいずれかの携帯電話システムにおいて、前記アドレス帳サーバは、当該アドレス帳サーバに格納したアドレス情報の使用および／または、当該携帯電話端末からの呼の中継または転送の実施の可否を、着信した携帯電話端末の識別情報によって判断する携帯電話システム。
（１７）上記（１３）ないし（１６）のいずれかの携帯電話システムにおいて、さらに、各携帯電話端末のユーザの現在の所在場所を登録するプレゼンス装置を備え、前記アドレス帳サーバは、前記携帯電話端末から着信があった場合、前記プレゼンス装置に登録されている当該携帯電話端末のユーザの現在の所在場所に応じて、当該アドレス帳サーバからの呼の中継または転送の可否を決定する携帯電話システム。
（１８）不特定多数のユーザが利用可能な無線携帯電話網を介してＩＰ網に接続する手段を少なくとも備えた携帯電話端末と、前記携帯電話端末ごとに発呼相手とする携帯電話端末もしくは電話端末の電話番号をアドレス帳データとして格納するアドレス帳サーバと、前記ＩＰ網と前記アドレス帳サーバとに接続されて、前記携帯電話端末と前記アドレス帳サーバとの間をＨＴＴＰもしくはＨＴＴＰＳプロトコルに従いデータ通信するＨＴＴＰサーバと、を少なくとも含んで構成される携帯電話システムにおいて、前記携帯電話端末が、前記アドレス帳サーバに格納された当該携帯電話端末の前記アドレス帳データを取得する場合、前記無線携帯電話網、前記ＩＰ網を介して、前記ＨＴＴＰサーバに接続し、前記ＨＴＴＰサーバを経由して、前記アドレス帳サーバからの前記アドレス帳データをＨＴＴＰもしくはＨＴＴＰＳプロトコルに従って取得する携帯電話システム。
（１９）不特定多数のユーザが利用可能な無線携帯電話網を介してＩＰ網に接続する手段を少なくとも備えた携帯電話端末と、前記携帯電話端末ごとにウェブサーバのアドレスをブックマーク情報として格納するブックマーク情報サーバと、前記ＩＰ網と前記ブックマーク情報サーバとに接続されて、前記携帯電話端末と前記ブックマーク情報サーバとの間をＨＴＴＰもしくはＨＴＴＰＳプロトコルに従いデータ通信するＨＴＴＰサーバと、を少なくとも含んで構成される携帯電話システムにおいて、前記携帯電話端末が、前記ブックマーク情報サーバに格納された当該携帯電話端末の前記ブックマーク情報を取得する場合、前記無線携帯電話網、前記ＩＰ網を介して、前記ＨＴＴＰサーバに接続し、前記ＨＴＴＰサーバを経由して、前記ブックマーク情報サーバからの前記ブックマーク情報をＨＴＴＰもしくはＨＴＴＰＳプロトコルに従って取得する携帯電話システム。
（２０）不特定多数のユーザが利用可能な無線携帯電話網を介してＩＰ網に接続する手段を少なくとも備えた携帯電話端末と、前記携帯電話端末ごとに電子メール情報を格納するメールボックスサーバと、前記ＩＰ網と前記メールボックスサーバとに接続されて、前記携帯電話端末と前記メールボックスサーバとの間をＨＴＴＰもしくはＨＴＴＰＳプロトコルに従いデータ通信するＨＴＴＰサーバと、を少なくとも含んで構成される携帯電話システムにおいて、前記携帯電話端末が、前記メールボックスサーバに格納された当該携帯電話端末の前記電子メール情報を取得する場合、前記無線携帯電話網、前記ＩＰ網を介して、前記ＨＴＴＰサーバに接続し、前記ＨＴＴＰサーバを経由して、前記メールボックスサーバからの前記電子メール情報をＨＴＴＰもしくはＨＴＴＰＳプロトコルに従って取得する携帯電話システム。
（２１）上記（１８）ないし（２０）のいずれかの携帯電話システムにおいて、前記アドレス帳サーバまたは前記ブックマーク情報サーバまたは前記メールボックスサーバは、当該アドレス帳サーバに格納した前記アドレス帳データまたは当該ブックマーク情報サーバに格納した前記ブックマーク情報または当該メールボックスサーバに格納した前記電子メール情報の使用の可否を、前記ＨＴＴＰサーバ経由で接続要求する携帯電話端末の識別情報によって判断する携帯電話システム。
（２２）上記（１８）ないし（２１）のいずれかの携帯電話システムにおいて、前記ＨＴＴＰサーバは、前記アドレス帳サーバまたは前記ブックマーク情報サーバまたは前記メールボックスサーバへの接続の可否を、着信した携帯電話端末の識別情報によって判断する携帯電話システム。
（２３）上記（１８）ないし（２２）のいずれかの携帯電話システムにおいて、前記アドレス帳サーバまたは前記ブックマーク情報サーバまたは前記メールボックスサーバまたは前記ＨＴＴＰサーバは、前記携帯電話端末からの接続に際して、当該携帯電話端末のユーザ認証を行うことを可能とする携帯電話システム。
（２４）上記（１８）ないし（２３）のいずれかの携帯電話システムにおいて、さらに、各携帯電話端末のユーザの現在の所在場所を登録するプレゼンス装置を備え、前記アドレス帳サーバまたは前記ブックマーク情報サーバまたは前記メールボックスサーバまたは前記ＨＴＴＰサーバは、前記携帯電話端末からの接続に際して、前記プレゼンス装置に登録されている当該携帯電話端末のユーザの現在の所在場所に応じて、当該携帯電話端末との接続の可否を決定する携帯電話システム。
（２５）不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、アドレス帳機能、ブックマーク機能、メールボックス機能、のデータ処理機能の少なくとも１つのデータ処理機能のうち少なくとも一部の機能を活性化し、前記プライベート無線網の無線エリア外に退出する際に、活性化されていた前記機能の少なくとも一部の機能を不活性化する個人情報保護方法。
（２６）上記（２５）の個人情報保護方法において、前記プライベート網が複数設置されており、複数設置された前記プライベート無線網の如何に応じて、前記プライベート無線網の無線エリア内に入った際に活性化し、また、退出する際に不活性化する、前記データ処理機能の少なくとも１つのデータ処理機能のうち少なくとも一部の機能が異なる個人情報保護方法。
（２７）上記（２５）または（２６）の個人情報保護方法において、使用する前記携帯電話端末のユーザに応じて、前記プライベート無線網の無線エリア内に入った際に活性化し、また、退出する際に不活性化する、前記データ処理機能の少なくとも１つのデータ処理機能のうち少なくとも一部の機能が異なる個人情報保護方法。
（２８）不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、前記アドレス帳機能が使用可能なアドレス帳情報を格納したアドレス帳サーバ、前記ブックマーク機能が使用可能なブックマーク情報を格納したブックマーク情報サーバ、前記メールボックス機能が使用可能な電子メール情報を格納したメールボックスサーバ、の少なくとも１つのサーバから当該携帯電話端末のユーザに関する情報、および／または、各ユーザ共通の情報のうちの少なくとも一部の情報をダウンロードして保存し、一方、前記プライベート無線網の無線エリア外に退出する際に、ダウンロードして保存されていた前記情報の少なくとも一部を削除する個人情報保護方法。
（２９）上記（２８）の個人情報保護方法において、前記プライベート網が複数設置されており、複数設置された前記プライベート無線網の如何に応じて、前記プライベート無線網の無線エリア内に入った際にダウンロードして保存し、退出する際に削除する、前記情報のうちの少なくとも一部の情報が異なる個人情報保護方法。
（３０）上記（２８）または（２９）の個人情報保護方法において、使用する前記携帯電話端末のユーザに応じて、前記プライベート無線網の無線エリア内に入った際にダウンロードして保存し、退出する際に削除する、前記情報のうちの少なくとも一部の情報が異なる個人情報保護方法。
（３１）不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、暗号化されたアドレス帳情報、暗号化されたブックマーク情報、暗号化された電子メール情報のうち、少なくとも１つの情報の少なくとも一部の情報を復元し、一方、前記プライベート無線網の無線エリア外に退出する際に、復元されていた前記情報の少なくとも一部を暗号化する個人情報保護方法。
（３２）不特定多数のユーザが利用可能な公衆無線携帯電話網と、特定ユーザにクローズして利用されるプライベート無線網との双方に接続することができる携帯電話端末に格納されている個人情報を保護する個人情報保護方法において、前記携帯電話端末が、前記プライベート無線網の無線エリア内に入った際に、暗号鍵データを格納する暗号鍵サーバから、当該携帯電話端末のユーザ用の暗号鍵データを取得して、暗号化されたアドレス帳情報、暗号化されたブックマーク情報、暗号化された電子メール情報のうち、少なくとも１つの情報の少なくとも一部の情報を、復元し、一方、前記プライベート無線網の無線エリア外に退出する際に、復元されていた前記情報の少なくとも一部を暗号化する個人情報保護方法。
（３３）上記（３２）の個人情報保護方法において、前記プライベート無線網の無線エリア外に退出する際に、復元されていた前記情報の少なくとも１つの情報の少なくとも一部の情報を前記暗号化手段により暗号化する暗号鍵データが、前記プライベート無線網の無線エリア内に入った際に前記暗号鍵サーバから取得した前記暗号鍵データと同一かあるいは異なる個人情報保護方法。
（３４）上記（３１）ないし（３３）のいずれかの個人情報保護方法において、前記プライベート網が複数設置されており、複数設置された前記プライベート無線網の如何に応じて、前記プライベート無線網の無線エリア内に入った際に復元し、無線エリア外に退出する際に暗号化する、前記情報のうちの少なくとも一部の情報が異なる個人情報保護方法。
（３５）上記（３１）ないし（３４）のいずれかの個人情報保護方法において、使用する前記携帯電話端末のユーザに応じて、前記プライベート無線網の無線エリア内に入った際に復元し、無線エリア外に退出する際に暗号化する、前記情報のうちの少なくとも一部の情報が異なる個人情報保護方法。
（３６）上記（２５）ないし（３５）のいずれかの個人情報保護方法において、前記プライベート無線網が、無線ＬＡＮとして構成されている個人情報保護方法。
（３７）不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて前記携帯電話端末に格納されている個人情報を保護する個人情報保護方法であって、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、該携帯電話端末の発呼相手とする携帯電話端末もしくは電話端末に対して前記無線携帯電話網もしくは前記公衆電話網もしくは前記ＩＰ網を介して発呼して、該携帯電話端末からの呼を中継する個人情報保護方法。
（３８）不特定多数のユーザが利用可能な無線携帯電話網に接続する手段を少なくとも備えた携帯電話端末と、不特定多数のユーザが利用可能な無線携帯電話網もしくは公衆電話網もしくはＩＰ網に接続されるアドレス帳サーバ、とを少なくとも含んで構成される携帯電話システムにおいて前記携帯電話端末に格納されている個人情報を保護する個人情報保護方法であって、前記アドレス帳サーバは、前記携帯電話端末ごとに発呼相手とする携帯電話端末もしくは電話端末の電話番号を格納し、前記携帯電話端末から前記無線携帯電話網を介してもしくはさらに前記公衆電話網もしくは前記ＩＰ網を介して当該アドレス帳サーバに着信してきた際に、該携帯電話端末に対応して格納されている電話番号に基づいて、前記無線携帯電話網もしくは前記公衆電話網もしくは前記ＩＰ網を介して該携帯電話端末からの呼を転送する個人情報保護方法。
（３９）上記（３７）または（３８）の個人情報保護方法において、前記アドレス帳サーバは、着信してきた前記携帯電話端末から送信されてくるＩＳＤＮ用のサブアドレス、もしくは、ＤＴＭＦ信号、もしくは、音声情報、のいずれかにより、該携帯電話端末の発呼相手とする電話番号を検索することを可能とする個人情報保護方法。
（４０）上記（３７）ないし（３９）のいずれかの個人情報保護方法において、前記アドレス帳サーバは、当該アドレス帳サーバに格納したアドレス情報の使用および／または、当該携帯電話端末からの呼の中継または転送の可否を、着信した携帯電話端末の識別情報によって判断する個人情報保護方法。
（４１）上記（３７）ないし（４０）のいずれかの個人情報保護方法において、さらに、各携帯電話端末のユーザの現在の所在場所を登録するプレゼンス装置を備え、前記アドレス帳サーバは、前記携帯電話端末から着信があった場合、前記プレゼンス装置に登録されている当該携帯電話端末のユーザの現在の所在場所に応じて、当該アドレス帳サーバからの呼の中継または転送の可否を決定する個人情報保護方法。
（４２）不特定多数のユーザが利用可能な無線携帯電話網を介してＩＰ網に接続する手段を少なくとも備えた携帯電話端末と、前記携帯電話端末ごとに発呼相手とする携帯電話端末もしくは電話端末の電話番号をアドレス帳データとして格納するアドレス帳サーバと、前記ＩＰ網と前記アドレス帳サーバとに接続されて、前記携帯電話端末と前記アドレス帳サーバとの間をＨＴＴＰもしくはＨＴＴＰＳプロトコルに従いデータ通信するＨＴＴＰサーバと、を少なくとも含んで構成される携帯電話システムにおいて前記携帯電話端末に格納されている個人情報を保護する個人情報保護方法であって、前記携帯電話端末が、前記アドレス帳サーバに格納された当該携帯電話端末の前記アドレス帳データを取得する場合、前記無線携帯電話網、前記ＩＰ網を介して、前記ＨＴＴＰサーバに接続し、前記ＨＴＴＰサーバを経由して、前記アドレス帳サーバからの前記アドレス帳データをＨＴＴＰもしくはＨＴＴＰＳプロトコルに従って取得する個人情報保護方法。
（４３）不特定多数のユーザが利用可能な無線携帯電話網を介してＩＰ網に接続する手段を少なくとも備えた携帯電話端末と、前記携帯電話端末ごとにウェブサーバのアドレスをブックマーク情報として格納するブックマーク情報サーバと、前記ＩＰ網と前記ブックマーク情報サーバとに接続されて、前記携帯電話端末と前記ブックマーク情報サーバとの間をＨＴＴＰもしくはＨＴＴＰＳプロトコルに従いデータ通信するＨＴＴＰサーバと、を少なくとも含んで構成される携帯電話システムにおいて前記携帯電話端末に格納されている個人情報を保護する個人情報保護方法であって、前記携帯電話端末が、前記ブックマーク情報サーバに格納された当該携帯電話端末の前記ブックマーク情報を取得する場合、前記無線携帯電話網、前記ＩＰ網を介して、前記ＨＴＴＰサーバに接続し、前記ＨＴＴＰサーバを経由して、前記ブックマーク情報サーバからの前記ブックマーク情報をＨＴＴＰもしくはＨＴＴＰＳプロトコルに従って取得する個人情報保護方法。
（４４）不特定多数のユーザが利用可能な無線携帯電話網を介してＩＰ網に接続する手段を少なくとも備えた携帯電話端末と、前記携帯電話端末ごとに電子メール情報を格納するメールボックスサーバと、前記ＩＰ網と前記メールボックスサーバとに接続されて、前記携帯電話端末と前記メールボックスサーバとの間をＨＴＴＰもしくはＨＴＴＰＳプロトコルに従いデータ通信するＨＴＴＰサーバと、を少なくとも含んで構成される携帯電話システムにおいて前記携帯電話端末に格納されている個人情報を保護する個人情報保護方法であって、前記携帯電話端末が、前記メールボックスサーバに格納された当該携帯電話端末の前記電子メール情報を取得する場合、前記無線携帯電話網、前記ＩＰ網を介して、前記ＨＴＴＰサーバに接続し、前記ＨＴＴＰサーバを経由して、前記メールボックスサーバからの前記電子メール情報をＨＴＴＰもしくはＨＴＴＰＳプロトコルに従って取得する個人情報保護方法。
（４５）上記（４２）ないし（４４）のいずれかの個人情報保護方法において、前記アドレス帳サーバまたは前記ブックマーク情報サーバまたは前記メールボックスサーバは、当該アドレス帳サーバに格納した前記アドレス帳データまたは当該ブックマーク情報サーバに格納した前記ブックマーク情報または当該メールボックスサーバに格納した前記電子メール情報の使用の可否を前記ＨＴＴＰサーバ経由で接続要求する携帯電話端末の識別情報によって判断する個人情報保護方法。
（４６）上記（４２）ないし（４５）のいずれかの個人情報保護方法において、前記ＨＴＴＰサーバは、前記アドレス帳サーバまたは前記ブックマーク情報サーバまたは前記メールボックスサーバへの接続の可否を、着信した携帯電話端末の識別情報によって判断する個人情報保護方法。
（４７）上記（４２）ないし（４６）のいずれかの個人情報保護方法において、前記アドレス帳サーバまたは前記ブックマーク情報サーバまたは前記メールボックスサーバまたは前記ＨＴＴＰサーバは、前記携帯電話端末からの接続に際して、当該携帯電話端末のユーザ認証を行うことを可能とする個人情報保護方法。
（４８）上記（４２）ないし（４７）のいずれかの個人情報保護方法において、さらに、各携帯電話端末のユーザの現在の所在場所を登録するプレゼンス装置を備え、前記アドレス帳サーバまたは前記ブックマーク情報サーバまたは前記メールボックスサーバまたは前記ＨＴＴＰサーバは、前記携帯電話端末からの接続に際して、前記プレゼンス装置に登録されている当該携帯電話端末のユーザの現在の所在場所に応じて、当該携帯電話端末との接続の可否を決定する個人情報保護方法。
（４９）上記（２５）ないし（４８）のいずれかの個人情報保護方法を、コンピュータにより実行可能なプログラムとして実現する個人情報保護プログラム。
（５０）上記（４９）の個人情報保護プログラムを、コンピュータにより読み取り可能な記録媒体に格納しているプログラム記録媒体。
【発明の効果】
【００１１】
本発明の携帯電話システム、携帯電話端末、個人情報保護方法、個人情報保護プログラムおよびプログラム記録媒体によれば、携帯電話端末の紛失、盗難などによる個人情報の流出を防ぐことが可能である。
【００１２】
また、本発明を用いれば、携帯電話端末のユーザの利便性を損なうことなく、前述の効果を得ることができる。
【００１３】
さらに、本発明を用いれば、携帯電話端末のユーザが個人情報保護をほとんど意識することなく、前述のごとき効果を得ることができる。
【発明を実施するための最良の形態】
【００１４】
以下、本発明による携帯電話システム、携帯電話端末、個人情報保護方法、個人情報保護プログラムおよびプログラム記録媒体の好適実施形態例について添付図を参照して説明する。
【００１５】
（第１の実施の形態）
本発明の第１の実施の形態においては、不特定多数のユーザが利用する公衆無線携帯電話網に接続する手段と、特定ユーザにクローズして閉域網として利用されるプライベート無線網に接続する手段と、の双方の接続手段を備えた携帯電話端末が、さらに、個人情報を扱う機能として、
ア）アドレス帳機能
イ）ブックマーク機能
ウ）メールボックス機能
のうち、少なくとも１つのデータ処理機能を備えている場合を示すものである。
【００１６】
ここで、当該携帯電話端末が、前記プライベート無線網のエリア内に入った際に、前述した３つのデータ処理機能のうち少なくとも１つの機能を当該携帯電話端末に備えた活性化手段により活性化し、一方、前記プライベート無線網のエリア外に退出する際に、活性化した前記機能の少なくとも１つの機能を当該携帯電話端末に備えた不活性化手段により不活性化する場合を示している。
【００１７】
次に、本実施の形態の実施例について、図面を参照しながら詳細に説明する。
【００１８】
図１は、本発明による携帯電話システムの第１の実施の形態の構成例を示すシステム構成図である。図１において、図１（Ａ）は、携帯電話端末１０３が無線ＬＡＮアクセスポイント１０１の無線ＬＡＮエリア１０２というプライベート無線網の特定エリア内に存在している場合を示しており、図１（Ｂ）は、携帯電話端末１０６が、前記無線ＬＡＮエリア１０２外に位置し、公衆用の無線携帯電話基地局１０４の無線セルすなわち携帯電話エリア１０５という公衆無線携帯電話網のエリア内に存在している場合を示している。図１のシステム構成図に示すように、本実施の形態による携帯電話システムは、無線ＬＡＮアクセスポイント１０１と、携帯電話端末１０３、１０６と、無線携帯電話基地局１０４と、から構成されている。
【００１９】
図１において、無線ＬＡＮエリア１０２は、企業内に設置された無線ＬＡＮアクセスポイント１０１のサービスエリアとして説明するが、無線ＬＡＮに限らず、例えば企業などが設置する、独自無線網（プライベート無線網）であっても構わないことは勿論である。
【００２０】
また、本実施の形態では、携帯電話端末１０３と携帯電話端末１０６とにおいてそれぞれの個人情報を扱う機能として、アドレス帳機能１０３ａ、ブックマーク機能１０３ｂ、メールボックス機能１０３ｃとアドレス帳機能１０６ａ、ブックマーク機能１０６ｂ、メールボックス機能１０６ｃとのそれぞれ３つずつのデータ処理機能を備えている場合として説明するが、本発明は、かかる３つのデータ処理機能という特定の機能に限るものではなく、個人情報を扱う機能全般について有効であることは勿論である。
【００２１】
携帯電話端末１０３および携帯電話端末１０６は、いずれも、公衆用の無線携帯電話基地局１０４の携帯電話エリア１０５において利用可能な公衆無線携帯電話網と無線ＬＡＮアクセスポイント１０１の無線ＬＡＮエリア１０２において利用可能な無線ＬＡＮ網とのいずれにおいても使用することができる端末である。図１（Ａ）に示すように、携帯電話端末１０３は、例えば企業内の無線ＬＡＮエリア１０２という特定エリア内に存在し、当該企業における業務で使用することが明確な状態にある。このとき、携帯電話端末１０３は、当該携帯電話端末１０３に実装された、アドレス帳機能１０３ａ、ブックマーク機能１０３ｂ、メールボックス機能１０３ｃの３つのデータ処理機能を活性化した状態に設定して、当該携帯電話端末１０３のユーザが、いずれのデータ処理機能でも利用することができる状態となっている。従い、ユーザは、例えばアドレス帳機能１０３ａを利用して、当該携帯電話端末１０３に登録されている電話番号を検索して、その電話番号へ電話を掛けることが可能である。
【００２２】
一方の携帯電話端末１０６は、図１（Ｂ）に示すように、無線ＬＡＮエリア１０２内から離れて、不特定多数のユーザの携帯電話端末が利用可能な公衆用の携帯電話エリア１０５という公衆エリア内に存在している。このとき、携帯電話端末１０６は、当該携帯電話端末１０６に実装された、アドレス帳機能１０６ａ、ブックマーク機能１０６ｂ、メールボックス機能１０６ｃの個人情報を扱う３つのデータ処理機能を非活性化した状態に設定して、当該携帯電話端末１０６のユーザは、いずれのデータ処理機能も利用することができない状態となっている。従い、ユーザは、例えばアドレス帳機能１０６ａに登録された電話番号により発呼したり、あるいは、アドレス帳機能１０６ａの電話番号を閲覧したりすることができない。
【００２３】
もし、無線ＬＡＮエリア１０２内に存在している携帯電話端末１０３が、当該無線ＬＡＮエリア１０２という特定エリアから離れた場合は、今まで利用可能であったアドレス帳機能１０３ａ、ブックマーク機能１０３ｂ、メールボックス機能１０３ｃの個人情報を扱う３つのデータ処理機能は、非活性化され、ユーザは利用することができなくなる。逆に、無線ＬＡＮエリア１０２外に存在している携帯電話端末１０６が、無線ＬＡＮエリア１０２に入った場合、今まで利用不可能であったアドレス帳機能１０６ａ、ブックマーク機能１０６ｂ、メールボックス機能１０６ｃの個人情報を扱う３つのデータ処理機能は、活性化され、ユーザが利用することができる状態になる。
【００２４】
一般に、図１の無線ＬＡＮエリア１０２に示すように、無線ＬＡＮエリアは、企業内等に設置され、企業の施設内への入場に制限があったり、周囲の目があったりして、携帯電話端末の本来のユーザでなければ、企業内の無線ＬＡＮエリアに入って、携帯電話端末の機能を利用して個人情報を扱うことは難しい。そのため、無線ＬＡＮエリア内で携帯電話端末を使用するものは、当該携帯電話端末の本来のユーザ自身であるか、もしくは、当該携帯電話端末の利用が許可されたユーザである可能性が高い。
【００２５】
その逆に、例えば紛失や盗難などにより、当該携帯電話端末の本来のユーザ以外の第三者、もしくは、当該携帯電話端末に格納された個人情報に接することが許可されていないユーザの場合、企業内の前記無線ＬＡＮエリアに入ることが困難であるため、携帯電話端末の機能を利用して個人情報を扱うことができず、個人情報の流出を防ぐことができる。
【００２６】
なお、本実施の形態では、携帯電話端末が無線ＬＡＮエリア内に存在しているか否かに基づいて、当該携帯電話端末に実装されているアドレス帳機能、ブックマーク機能、メールボックス機能の個人情報を扱う各データ処理機能が活性化または非活性化される場合について説明したが、使用する携帯電話端末のユーザに応じて、活性化／非活性化するデータ処理機能を変更して設定できるようにしても良い。すなわち、使用する携帯電話端末のユーザに応じて、前記活性化手段により活性化し、前記不活性化手段により不活性化する、データ処理機能の少なくとも１つのデータ処理機能のうち、少なくとも一部の機能を異なるように設定できるようにしても良い。
【００２７】
また、無線ＬＡＮエリアを複数個設置し、無線ＬＡＮエリアごとに制限されるデータ処理機能を変化させたり、制限される該データ処理機能の少なくとも一部の機能を異なるものにしたり、無線ＬＡＮエリアごとに、例えばアドレス帳の中で活性／非活性化される情報を変化させたりしても良い。すなわち、複数設置された前記プライベート無線網の如何に応じて、前記活性化手段により活性化し、前記不活性化手段により不活性化する、データ処理機能の少なくとも１つのデータ処理機能のうち、少なくとも一部の機能を異なるものに設定することができるようにしても良い。この場合、例えば、企業内の利用であれば、ユーザの職位に応じて、入場可能な無線ＬＡＮエリアが異なる場合に、入場した無線ＬＡＮエリアごとに、個々の情報の保護の強度を制御することができる。
【００２８】
（第２の実施の形態）
本発明の第２の実施の形態においては、不特定多数のユーザが利用する公衆無線携帯電話網に接続する手段と、特定ユーザにクローズして閉域網として利用されるプライベート無線網に接続する手段と、の双方の接続手段を備えた携帯電話端末が、さらに、個人情報を扱う機能として、
ア）アドレス帳機能、
イ）ブックマーク機能、
ウ）メールボックス機能、
のうち、少なくとも１つのデータ処理機能を備え、かつ、前記プライベート無線網から接続することが可能な、
ア）前記アドレス帳機能が使用可能なアドレス帳情報を格納したアドレス帳サーバ、
イ）前記ブックマーク機能が使用可能なブックマーク情報を格納したブックマーク情報サーバ、
ウ）前記メールボックス機能が使用可能な電子メール情報を格納したメールボックスサーバ、
のうち、少なくとも１つのサーバから格納されている情報をダウンロードする機能を備えている場合を示すものである。
【００２９】
ここで、当該携帯電話端末が、前記プライベート無線網のエリア内に入った際に、前述した３つのデータ処理機能のうち、少なくとも１つのデータ処理機能の少なくとも一部を当該携帯電話端末に備えた活性化手段により活性化して、当該携帯電話端末に備えたダウンロード手段により前述した３つのサーバのうち少なくとも１つのサーバから、当該携帯電話端末のユーザに関する情報、および／または、各ユーザ共通の情報のうちの少なくとも一部の情報を当該携帯電話端末にダウンロードして格納し、一方、前記プライベート無線網のエリア外に退出する際に、当該携帯電話端末に備えた削除手段により当該携帯電話端末に前記ダウンロード手段によりダウンロードして格納した前記サーバの情報の少なくとも一部を削除して、活性化した前記機能の少なくとも一部の機能を当該携帯電話端末に備えた不活性化手段により不活性化する場合を示している。
【００３０】
次に、本実施の形態の実施例について、図面を参照しながら詳細に説明する。
【００３１】
図２は、本発明による携帯電話システムの第２の実施の形態の構成例を示すシステム構成図である。図２のシステム構成に示すように、本実施の形態の携帯電話システムは、ネットワーク２０２、無線ＬＡＮアクセスポイント２０３、アドレス帳サーバ２０４、ブックマーク情報サーバ２０５、メールボックスサーバ２０６、および、携帯電話端末２０８から構成されている。
【００３２】
図２において、無線ＬＡＮエリア２０９は、企業内に設置された無線ＬＡＮアクセスポイント２０３のサービスエリアとして説明するが、無線ＬＡＮに限らず、例えば企業などが設置する、独自無線網（プライベート無線網）であっても構わないことは勿論である。
【００３３】
また、本実施の形態では、携帯電話端末２０８において個人情報を扱う機能として、アドレス帳機能２０８ａ、ブックマーク機能２０８ｂ、メールボックス機能２０８ｃの３つのデータ処理機能を備えている場合として説明するが、本発明は、かかる３つのデータ処理機能という特定の機能に限るものではなく、個人情報を扱う機能全般について有効であることは勿論である。
【００３４】
携帯電話端末２０８は、図２には図示していない無線携帯電話基地局の携帯電話エリアにおいて利用可能な公衆無線携帯電話網と、図２の無線ＬＡＮアクセスポイント２０３の無線ＬＡＮエリア２０９において利用可能な無線ＬＡＮ網とのいずれにおいても使用することができる端末である。図２に示すように、携帯電話端末２０８は、例えば企業内の無線ＬＡＮエリア２０９という特定エリア内に存在し、当該企業における業務で使用することが明確な状態にある。
【００３５】
このとき、携帯電話端末２０８は、当該携帯電話端末２０８に実装された、アドレス帳機能２０８ａ、ブックマーク機能２０８ｂ、メールボックス機能２０８ｃの３つのデータ処理機能を活性化した状態に設定して、無線ＬＡＮアクセスポイント２０３およびネットワーク２０２を経由して接続される、アドレス帳サーバ２０４、ブックマーク情報サーバ２０５、メールボックスサーバ２０６のそれぞれから、当該携帯電話端末２０８のユーザに関するユーザデータ（個人情報）、および／または、各ユーザ共通のデータをダウンロードすることができ、当該携帯電話端末２０８のユーザが、ダウンロードされたデータを利用することができる状態となっている。従い、ユーザは、無線ＬＡＮエリア２０９に入った状態にあれば、例えばアドレス帳機能２０８ａを利用して、当該携帯電話端末２０８にアドレス帳サーバ２０４からダウンロードされた電話番号を検索して、その電話番号へ電話を掛けることが可能である。
【００３６】
一方、携帯電話端末２０８が、無線ＬＡＮアクセスポイント２０３の無線ＬＡＮエリア２０９内から離れて退出した場合、アドレス帳サーバ２０４、ブックマーク情報サーバ２０５、メールボックスサーバ２０６からダウンロードされたユーザデータは削除され、さらに、今まで利用可能であったアドレス帳機能２０８ａ、ブックマーク機能２０８ｂ、メールボックス機能２０８ｃの個人情報を扱う３つのデータ処理機能を非活性化した状態に設定されて、当該携帯電話端末２０８のユーザは、いずれのデータ処理機能も利用することができない状態となる。従い、ユーザは、無線ＬＡＮエリア２０９内から離れた状態にあれば、例えばアドレス帳機能２０８ａにアドレス帳サーバ２０４からダウンロードされた電話番号によって発呼したり、電話番号を閲覧したりすることができなくなり、第１の実施の形態の場合と同様に、個人情報の流出を防ぐことができる。
【００３７】
逆に、無線ＬＡＮエリア２０９外に存在していた携帯電話端末が、無線ＬＡＮエリア２０９に入った場合、今まで利用不可能であったアドレス帳機能、ブックマーク機能、メールボックス機能の個人情報を扱う３つのデータ処理機能は、活性化され、無線ＬＡＮアクセスポイント２０３およびネットワーク２０２を経由して接続される、アドレス帳サーバ２０４、ブックマーク情報サーバ２０５、メールボックスサーバ２０６のそれぞれから、当該携帯電話端末のユーザに関するユーザデータ（個人情報）、および／または、各ユーザ共通のデータをダウンロードすることができ、当該携帯電話端末のユーザが、ダウンロードされたデータを利用することができる状態となる。
【００３８】
一般に、図２の入退場管理エリア２０１に示すように、無線ＬＡＮエリア２０９は、企業内等に設置され、企業の施設内への入場に制限があったり、周囲の目があったりして、携帯電話端末の本来のユーザでなければ、企業内の無線ＬＡＮエリア２０９に入って、携帯電話端末の機能を利用して、アドレス帳サーバ２０４、ブックマーク情報サーバ２０５、メールボックスサーバ２０６のそれぞれから、当該携帯電話端末のユーザに関するユーザデータ（個人情報）などをダウンロードして、ユーザデータ（個人情報）を扱うことは難しい。そのため、無線ＬＡＮエリア２０９内で携帯電話端末を使用するものは、当該携帯電話端末の本来のユーザ自身であるか、もしくは、当該携帯電話端末の利用が許可されたユーザである可能性が高い。
【００３９】
なお、本実施の形態では、携帯電話端末の無線ＬＡＮエリア内への入場、または、無線ＬＡＮエリア外への退出によって、アドレス帳機能、ブックマーク機能、メールボックス機能の個人情報を扱う３つのデータ処理機能の活性化または非活性化、さらには、アドレス帳サーバ２０４、ブックマーク情報サーバ２０５、メールボックスサーバ２０６からの各機能へのユーザデータ(個人情報)のダウンロードまたは削除を行う場合について説明したが、使用する携帯電話端末のユーザに応じて、活性化／非活性化するデータ処理機能を変更して設定したり、ダウンロード／削除する情報（ユーザデータ）を変更して設定することができるようにしても良い。すなわち、使用する携帯電話端末のユーザに応じて、前記活性化手段により活性化し、前記不活性化手段により不活性化する、少なくとも１つのデータ処理機能のうち、少なくとも一部の機能を異なるように、また、ダウンロード／削除する情報（ユーザデータ）のうち、少なくとも一部の情報を異なるように設定できるようにしても良い。
【００４０】
また、無線ＬＡＮエリアを複数個設置し、無線ＬＡＮエリアごとに制限されるデータ処理機能を変化させたり、制限される該データ処理機能の少なくとも一部の機能を異なるものにしたり、ダウンロード／削除される情報（ユーザデータ）を変化させたり、無線ＬＡＮエリアごとに、例えばアドレス帳の中でダウンロード／削除される情報（ユーザデータ）を変化させたりしても良い。さらには、無線ＬＡＮエリアの設置箇所に応じて、少なくとも１つのデータ処理機能のうち少なくとも一部の機能が異なるように設定できるようにしても良いし、ダウンロード／削除される情報（ユーザデータ）の少なくとも１つの情報を異なるように設定できるようにしても良い。すなわち、複数設置された前記プライベート無線網の如何に応じて、前記活性化手段により活性化し、前記不活性化手段により不活性化する、データ処理機能の少なくとも１つのデータ処理機能のうち、少なくとも一部の機能を異なるものに設定することができ、さらに、前記ダウンロード手段によりダウンロードして保存し、前記削除手段により削除する、前記情報のうちの少なくとも一部の情報を異なるようにしても良い。この場合、例えば、企業内の利用であれば、ユーザの職位に応じて、入場可能な無線ＬＡＮエリアが異なる場合に、入場した無線ＬＡＮエリアごとに、個々の情報の保護の強度を制御することができる。
【００４１】
（第３の実施の形態）
本発明の第３の実施の形態においては、不特定多数のユーザが利用する公衆無線携帯電話網に接続する手段と、特定ユーザにクローズして閉域網として利用されるプライベート無線網に接続する手段と、の双方の接続手段を備えた携帯電話端末が、さらに、個人情報を扱う機能として、
ア）アドレス帳機能、
イ）ブックマーク機能、
ウ）メールボックス機能、
のうち、少なくとも１つのデータ処理機能を備え、かつ、各前記データ処理機能に暗号化した状態で保存される情報のうち、少なくとも１つを復元および暗号化する機能を備えている場合を示すものである。
【００４２】
ここで、当該携帯電話端末が、前記プライベート無線網のエリア内に入った際に、前述した３つのデータ処理機能の少なくとも１つのデータ処理機能のうち少なくとも一部の機能を当該携帯電話端末に備えた活性化手段により活性化して、暗号化した状態で保存されている情報のうち少なくとも一部を当該携帯電話端末に備えた復元手段により復元して当該携帯電話端末に利用可能な状態にし、一方、前記プライベート無線網のエリア外に退出する際に、前記復元手段により復元した情報の少なくとも一部を当該携帯電話端末に備えた暗号化手段により暗号化して保存するとともに、前記活性化手段により活性化した前記機能の少なくとも一部の機能を当該携帯電話端末に備えた不活性化手段により不活性化する場合を示している。
【００４３】
さらに、各前記データ処理機能に保存される情報を暗号化したり復元したりするための暗号鍵データを格納する暗号鍵サーバを備え、前記携帯電話端末が、前記暗号化サーバから当該携帯電話端末のユーザ用の暗号鍵データを取得する暗号鍵取得手段を備えていても良い。ここで、前記暗号鍵サーバから取得した暗号鍵データを用いて、各前記データ処理機能に暗号化した状態で保存される情報を復元した場合、復元した情報を再度暗号化して保存し直す際に、復元した情報の少なくとも１つの情報の少なくとも一部の情報を、前記暗号鍵サーバから復元の際に前記暗号鍵取得手段により取得したものと同一の暗号鍵データを用いて再度暗号化しても良いし、または、復元の際に前記暗号鍵取得手段により取得したものとは異なる暗号鍵データを用いて暗号化するようにしても良い。
【００４４】
次に、本実施の形態の実施例について、図面を参照しながら詳細に説明する。
【００４５】
図３は、本発明による携帯電話システムの第３の実施の形態の構成例を示すシステム構成図である。図３のシステム構成に示すように、本実施の形態の携帯電話システムは、ネットワーク３０２、無線ＬＡＮアクセスポイント３０３、鍵データサーバ３１０、および、携帯電話端末３０８から構成されている。
【００４６】
図３において、無線ＬＡＮエリア３０９は、企業内に設置された無線ＬＡＮアクセスポイント３０３のサービスエリアとして説明するが、無線ＬＡＮに限らず、例えば企業などが設置する、独自無線網（プライベート無線網）であっても構わないことは勿論である。
【００４７】
また、本実施の形態では、携帯電話端末３０８において個人情報を扱う機能として、アドレス帳機能３０８ａ、ブックマーク機能３０８ｂ、メールボックス機能３０８ｃの３つのデータ処理機能を備えている場合として説明するが、本発明は、かかる３つのデータ処理機能という特定の機能に限るものではなく、個人情報を扱う機能全般について有効であることは勿論である。
【００４８】
携帯電話端末３０８は、図３には図示していない無線携帯電話基地局の携帯電話エリアにおいて利用可能な公衆無線携帯電話網と、図３の無線ＬＡＮアクセスポイント３０３の無線ＬＡＮエリア３０９において利用可能な無線ＬＡＮ網とのいずれにおいても使用することができる端末である。図３に示すように、携帯電話端末３０８は、例えば企業内の無線ＬＡＮエリア３０９という特定エリア内に存在し、当該企業における業務で使用することが明確な状態にある。
【００４９】
このとき、携帯電話端末３０８は、当該携帯電話端末３０８に実装された、アドレス帳機能３０８ａ、ブックマーク機能３０８ｂ、メールボックス機能３０８ｃの３つのデータ処理機能を活性化した状態に設定して、アドレス帳、ブックマーク、メールボックスに格納されている情報を、当該携帯電話端末３０８のユーザ向けとしてあらかじめ用意されている暗号鍵データ、あるいは、無線ＬＡＮアクセスポイント３０３およびネットワーク３０２を経由して接続される、鍵データサーバ３１０からダウンロードした当該携帯電話端末３０８のユーザ向けの暗号鍵データを用いて、復元して、当該携帯電話端末３０８のユーザが、いずれのデータ処理機能でも利用することができる状態となる。従い、ユーザは、無線ＬＡＮエリア３０９に入った状態にあれば、例えばアドレス帳機能３０８ａを利用して、当該携帯電話端末３０８に復元された状態で記憶されている電話番号を検索して、その電話番号へ電話を掛けることが可能である。
【００５０】
一方、携帯電話端末３０８が、無線ＬＡＮアクセスポイント３０３の無線ＬＡＮエリア３０９内から離れて退出した場合、当該携帯電話端末３０８のユーザ向けの暗号鍵データを用いて復元した情報は、前記暗号鍵データを用いて再び暗号化されてアドレス帳、ブックマーク、メールボックスに格納され、さらに、今まで利用可能であったアドレス帳機能３０８ａ、ブックマーク機能３０８ｂ、メールボックス機能３０８ｃの個人情報を扱う３つのデータ処理機能を非活性化した状態に設定して、当該携帯電話端末３０８のユーザが、いずれのデータ処理機能も利用することができない状態となっている。従い、ユーザは、無線ＬＡＮエリア３０９内から離れた状態にあれば、例えばアドレス帳機能３０８ａに登録された電話番号により発呼したり、電話番号を閲覧したりすることができなくなり、第１、第２の実施の形態の場合と同様に、個人情報の流出を防ぐことができる。
【００５１】
なお、無線ＬＡＮエリア３０９から退出した際に、入場時に復元した場合と同じ暗号鍵データを用いて、暗号化してアドレス帳、ブックマーク、メールボックスに格納する場合であれば、新たに鍵データサーバ３１０から暗号鍵データを得なくとも暗号化することが可能である。一方、無線ＬＡＮエリア３０９に入場時に復元した場合とは異なる暗号鍵データを用いることにすれば、アドレス帳、ブックマーク、メールボックスに格納する個人情報の保護強度をさらに高くすることもできる。この場合、次の入場時に備えて、暗号化に用いた異なる暗号化データを無線ＬＡＮアクセスポイント３０３およびネットワーク３０２を経由して鍵データサーバ３１０に格納し直すことになる。
【００５２】
逆に、無線ＬＡＮエリア３０９外に存在していた携帯電話端末が、無線ＬＡＮエリア３０９に入った場合、今まで利用不可能であったアドレス帳機能、ブックマーク機能、メールボックス機能の個人情報を扱う３つのデータ処理機能は、活性化され、アドレス帳、ブックマーク、メールボックスに格納されている情報を、当該携帯電話端末のユーザ向けとしてあらかじめ用意されている暗号鍵データ、あるいは、無線ＬＡＮアクセスポイント３０３およびネットワーク３０２を経由して接続される、鍵データサーバ３１０からダウンロードした当該携帯電話端末のユーザ向けの暗号鍵データを用いて、復元して、当該携帯電話端末のユーザが、いずれのデータ処理機能でも利用することができる状態となる。
【００５３】
一般に、図３の入退場管理エリア３０１に示すように、無線ＬＡＮエリア３０９は、企業内等に設置され、企業の施設内への入場に制限があったり、周囲の目があったりして、携帯電話端末の本来のユーザでなければ、企業内の無線ＬＡＮエリア３０９に入って、携帯電話端末の機能を利用して、個人情報を扱うことは難しい。そのため、無線ＬＡＮエリア３０９内で携帯電話端末を使用するものは、当該携帯電話端末の本来のユーザ自身であるか、もしくは、当該携帯電話端末の利用が許可されたユーザである可能性が高い。
【００５４】
なお、本実施の形態では、携帯電話端末の無線ＬＡＮエリア内への入場、または、無線ＬＡＮエリア外への退出によって、アドレス帳機能、ブックマーク機能、メールボックス機能の個人情報を扱う３つのデータ処理機能の活性化または非活性化、さらには、アドレス帳、ブックマーク情報、メールボックスに格納された情報（個人情報）の復元または暗号化を行う場合について説明したが、使用する携帯電話端末のユーザに応じて、活性化／非活性化するデータ処理機能を変更して設定したり、復元／暗号化する情報（ユーザデータ）を変更して設定することができるようにしても良い。すなわち、使用する携帯電話端末のユーザに応じて、前記活性化手段により活性化し、前記不活性化手段により不活性化する、少なくとも１つのデータ処理機能のうち、少なくとも一部の機能を異なるように、また、復元／暗号化する情報（ユーザデータ）のうち、少なくとも一部の情報を異なるように設定できるようにしても良い。
【００５５】
また、無線ＬＡＮエリアを複数個設置し、無線ＬＡＮエリアごとに制限されるデータ処理機能を変化させたり、制限される該データ処理機能の少なくとも一部の機能を異なるものにしたり、復元／暗号化される情報（ユーザデータ）を変化させたり、無線ＬＡＮエリアごとに、例えばアドレス帳の中で復元／暗号化される情報（ユーザデータ）を変化させたりしても良い。すなわち、複数設置された前記プライベート無線網の如何に応じて、前記活性化手段により活性化し、前記不活性化手段により不活性化する、データ処理機能の少なくとも１つのデータ処理機能のうち、少なくとも一部の機能を異なるものに設定することができ、さらに、前記復元手段により復元し、前記暗号化手段により暗号化する、前記情報のうちの少なくとも一部の情報を異なるようにしても良い。この場合、例えば、企業内の利用であれば、ユーザの職位に応じて、入場可能な無線ＬＡＮエリアが異なる場合に、入場した無線ＬＡＮエリアごとに、個々の情報の保護の強度を制御することができる。
【００５６】
（第４の実施の形態）
本発明の第４の実施の形態においては、不特定多数のユーザが利用する公衆無線携帯電話網に接続する手段を備えた携帯電話端末と、特定ユーザにクローズして閉域網として利用されるプライベート網に接続する手段と前記公衆無線携帯電話網の無線携帯電話基地局を接続した公衆電話網もしくはＩＰ網に接続する手段とを備えたアドレス帳サーバと、で構成され、携帯電話端末がアドレス帳サーバへ発呼し、アドレス帳サーバは、当該アドレス帳サーバに格納された電話帳情報に基づいて発呼して、携帯電話端末の呼を中継するか、もしくは、携帯電話端末からの呼を転送する場合を示している。
【００５７】
さらに、携帯電話端末が、
ア）ＩＳＤＮのサブアドレスを用いた発呼機能
イ）ＤＴＭＦ信号送信機能
のうち、少なくとも一方を備えていても良く、アドレス帳サーバが、受信したサブアドレスもしくはＤＴＭＦ信号に基づいて、もしくは、受信した音声に対する音声認識機能により、アドレス帳サーバの中の電話帳データを選択し、アドレス帳サーバからの発呼／転送先を制御しても良い。また、アドレス帳サーバが、当該アドレス帳サーバに格納したアドレス情報の使用を禁止する特定の電話番号もしくは使用を許可しない電話番号やＩＰアドレスなどの識別情報をもつ携帯電話端末からの着呼があった場合には、アドレス帳データを用いることなく、当該アドレス帳サーバからの発呼・中継／転送を行わない設定にすることができるようにしても良い。
【００５８】
次に、本実施の形態の実施例について、図面を参照しながら詳細に説明する。
【００５９】
図４は、本発明による携帯電話システムの第４の実施の形態の構成例を示すシステム構成図である。図４のシステム構成に示すように、本実施の形態の携帯電話システムは、アドレス帳管理システム４０１、電話網４０４、無線携帯電話基地局４０５、携帯電話端末４０６、４０７、および、電話端末４０８、から構成され、アドレス帳管理システム４０１は、ネットワーク４０２、アドレス帳サーバ４０３、および、プレゼンスサーバ４０９から構成されている。プレゼンスサーバ４０９は、各ユーザすなわち各携帯電話端末のユーザが現在所在している場所を登録しているプレゼンス装置である。
【００６０】
なお、本実施の形態における電話網４０４として、ＩＰ網を用い、呼接続にＳＩＰ（Session Initiation Protocol）プロトコルを用いたＶｏＩＰ（Voice over ＩＰ）電話であっても良いことは勿論である。
【００６１】
携帯電話端末４０６は、当該携帯電話端末４０６内に、アドレス帳としての電話番号データを保持していない。このため、アドレス帳機能を利用するには、まず、アドレス帳管理システム４０１内のアドレス帳サーバ４０３に対して発呼して、無線携帯電話基地局４０５および電話網４０４を介してアドレス帳サーバ４０３と接続する。電話網４０４に接続されたアドレス帳サーバ４０３は、携帯電話端末４０６から呼を受け付けて、発信元の携帯電話端末４０６の携帯電話番号から当該携帯電話端末４０６のユーザを判断し、当該ユーザの個人情報（ユーザデータ）のアドレス帳を検索して、当該ユーザが所望する接続先の携帯電話端末４０７や電話端末４０８へ携帯電話端末４０６の呼を転送するか、あるいは、アドレス帳サーバ４０３が携帯電話端末４０７もしくは電話端末４０８に対して発呼して、携帯電話端末４０６からの呼を中継する。
【００６２】
万が一、携帯電話端末４０６が紛失もしくは盗難された場合、アドレス帳サーバ４０３にその旨をただちに登録しておくことにより、当該携帯電話端末４０６からアドレス帳サーバ４０３に対して発呼してきた場合、アドレス帳サーバ４０３が、着呼を拒絶、もしくは、当該携帯電話端末４０６によるアドレス帳の検索を禁止すれば、個人情報の流出を防ぐことができる。すなわち、アドレス帳サーバ４０３は、当該アドレス帳サーバ４０３に格納したアドレス情報の使用を禁止もしくは非許可の電話番号の携帯電話端末４０６から着信があった場合、当該携帯電話端末４０６からの呼の中継または転送を実施しない設定を行うことを可能とする。
【００６３】
さらに、携帯電話端末４０６のユーザの所在を、例えば入構証等による入退場管理などの方法によって把握してアドレス帳管理システム４０１内のプレゼンスサーバ４０９へ登録することができる場合には、携帯電話端末４０６からの着呼があったアドレス帳サーバ４０３が、プレゼンスサーバ４０９へ携帯電話端末４０６のユーザの所在を問い合わせ、構内にいるかいないかを確認した後、アドレス帳の検索および呼の転送もしくは中継の可否を決定するようにすれば、やはり、携帯電話端末４０６の紛失、盗難等でのアドレス帳の利用を抑制することができる。
【００６４】
ここで、アドレス帳サーバ４０３において携帯電話端末４０６の所望の接続先を検索する方法として、ＩＳＤＮのサブアドレスを用いる方法や、ＤＴＭＦ信号を用いる方法や、音声認識による方法がある。かかる検索方法について、図５を用いてさらに説明する。図５は、本発明による携帯電話システムの第４の実施の形態における電話番号の検索方法の一例を説明するための説明図である。
【００６５】
図５において、携帯電話端末５０５（図４における携帯電話端末４０６に相当する）は、無線携帯電話基地局５０４および電話網５０３を経由して、アドレス帳サーバ５０２（図４におけるアドレス帳サーバ４０３に相当する）に接続する。この際、例えば、携帯電話端末５０５のユーザがＡさんの携帯電話端末へ発呼したいと考えた場合は、アドレス帳サーバ５０２に対して、ＩＳＤＮのサブアドレスとして“ａａａａ（数値）”を指定すると、アドレス帳サーバ５０２は、“ａａａａ”で携帯電話端末５０５のユーザのアドレス帳を検索して、Ａさんの電話番号への転送、もしくは、Ａさんへの発呼と携帯電話端末５０５の呼との中継を行う。
【００６６】
ＤＴＭＦ信号による方法についても、例えば携帯電話端末５０５のユーザがＢさんの携帯電話端末へ発呼したいと考えた場合は、同様に、アドレス帳サーバ５０２に対して、携帯電話端末５０５から、“ｂｂｂｂ（数値）”をキー操作によりＤＴＭＦ信号で送信すると、アドレス帳サーバ５０２は、“ｂｂｂｂ”で携帯電話端末５０５のユーザのアドレス帳を検索して、Ｂさんの電話番号への転送、もしくは、Ｂさんへの発呼と携帯電話端末５０５の呼との中継を行う。
【００６７】
音声認識方式による方法は、例えば携帯電話端末５０５のユーザがＣさんへ発呼したいと考えた場合は、同様に、アドレス帳サーバ５０２に対して、音声で「Ｃさん」もしくは「ｃｃｃｃ」と、所望の接続先を音声で指示すると、アドレス帳サーバ５０２が、音声認識機能により、Ｃさんの電話番号への転送、もしくは、Ｃさんへの発呼と携帯電話端末５０５の呼との中継を行う。さらに、音声認識の際に、音声による本人認証を行うことにすれば、不適切な携帯電話端末のユーザによるアドレス帳サーバ５０２のアドレス帳利用を制限することができる。
【００６８】
（第５の実施の形態）
本発明の第５の実施の形態においては、不特定多数のユーザが利用する公衆無線携帯電話網を介してＩＰ網に接続する手段を備えた携帯電話端末と、特定ユーザにクローズして閉域網として利用されるプライベート網のＨＴＴＰサーバを介してＩＰ網に接続する手段を備えたアドレス帳サーバと、特定ユーザにクローズして閉域網として利用されるプライベート網のＨＴＴＰサーバを介してＩＰ網に接続する手段を備えたブックマーク情報サーバと、特定ユーザにクローズして閉域網として利用されるプライベート網のＨＴＴＰサーバを介してＩＰ網に接続する手段を備えたメールボックスサーバと、ＩＰ網に接続されて、これらのアドレス帳サーバ、ブックマーク情報サーバ、メールボックスサーバに格納されている情報をＨＴＴＰ（HyperText Transfer Protocol）プロトコルに従って開示するＨＴＴＰサーバと、で構成される場合を示している。
【００６９】
この場合、携帯電話端末は、ＨＴＴＰサーバに接続して、アドレス帳サーバに含まれる電話番号情報に基づいて発呼、もしくは、アドレス帳サーバに含まれるメールアドレス情報に基づいて電子メールの送信、もしくは、ブックマーク情報サーバに含まれるブックマーク情報に基づいてインターネットのウェブ接続、もしくは、メールボックスサーバに含まれる電子メール情報を閲覧することができる。
【００７０】
さらに、携帯電話端末がＨＴＴＰサーバに接続した際に、ＨＴＴＰサーバが、携帯電話端末のユーザ認証を行って、情報の開示の可否を判定したり、特定の携帯電話端末に対しては、情報を開示しないようにしても良い。
【００７１】
次に、本実施の形態の実施例について、図面を参照しながら詳細に説明する。
【００７２】
図６は、本発明による携帯電話システムの第５の実施の形態の構成例を示すシステム構成図である。図６のシステム構成に示すように、本実施の形態の携帯電話システムは、携帯電話個人情報管理システム６０１、ＩＰ網６０８、電話網６０９、無線携帯電話基地局６１０、携帯電話端末６１１、６１２、および、電話端末６１３、から構成され、携帯電話個人情報管理システム６０１は、ネットワーク６０２、アドレス帳サーバ６０３、ブックマーク情報サーバ６０４、メールボックスサーバ６０５、プレゼンスサーバ６０６、および、ＨＴＴＰサーバ６０７から構成されている。ここで、ＨＴＴＰサーバ６０７には、ユーザ認証を行う認証サーバ６０７ａも備えられている。
【００７３】
なお、本実施の形態における電話網６０９として、ＩＰ網を用い、呼接続にＳＩＰ（Session Initiation Protocol）プロトコルを用いたＶｏＩＰ（Voice over ＩＰ）電話であっても良いことは勿論である。この場合は、電話網６０９はＩＰ網６０８と統合することができる。
【００７４】
携帯電話端末６１１は、当該携帯電話端末６１１内に、アドレス帳としての電話番号データやメールアドレス、また、ブックマーク情報や電子メール等のデータを保持していない。このため、これらのデータを利用するには、まず、無線携帯電話基地局６１０、ＩＰ網６０８を経由して、携帯電話個人情報管理システム６０１内のＨＴＴＰサーバ６０７に接続する。ＩＰ網６０８に接続されたＨＴＴＰサーバ６０７は、携帯電話端末６１１から接続要求を受け取って、認証サーバ６０７ａを起動して、例えばパスワード等の方法で、携帯電話端末６１１のユーザ認証を行う。認証サーバ６０７ａによって、携帯電話端末６１１の接続が認められると、ＨＴＴＰサーバ６０７は、携帯電話端末６１１のユーザの操作により、アドレス帳サーバ６０３、ブックマーク情報サーバ６０４、メールボックスサーバ６０５に格納されている当該ユーザに関するユーザデータ（個人情報）をＨＴＴＰもしくはＨＴＴＰＳに従って開示する。開示の仕方としては、例えばＨＴＴＰもしくはＨＴＴＰＳによる携帯電話端末６１１でのブラウジング手法を用いることができる。なお、認証サーバ６０７ａをＨＴＴＰサーバ６０７とは別個に設置することとし、アドレス帳サーバ６０３またはブックマーク情報サーバ６０４またはメースボックスサーバ６０５が、携帯電話端末６１１からの接続に際して、認証サーバ６０７ａにアクセスして、当該携帯電話端末６１１のユーザ認証を行うことを可能とするようにしても良い。
【００７５】
万が一、携帯電話端末６１１が紛失もしくは盗難された場合、ＨＴＴＰサーバ６０７にその旨をただちに登録しておくことにより、当該携帯電話端末６１１からＨＴＴＰサーバ６０７に対して接続要求してきた場合、ＨＴＴＰサーバ６０７が、特定携帯電話端末からの接続を拒否するか、もしくは、認証サーバ６０７ａによるユーザ認証によって接続を拒否すれば、個人情報の流出を防ぐことができる。すなわち、ＨＴＴＰサーバ６０７は、アドレス帳サーバ６０３またはブックマーク情報サーバ６０４またはメースボックスサーバ６０５への接続を禁止、もしくは非許可の電話番号の携帯電話端末６１１からの着信であった場合、当該携帯電話端末６１１との接続を拒否することを可能とする。さらに、アドレス帳サーバ６０３またはブックマーク情報サーバ６０４またはメースボックスサーバ６０５は、当該アドレス帳サーバ６０３に格納したアドレス帳データまたは当該ブックマーク情報サーバ６０４に格納したブックマーク情報または当該メースボックスサーバ６０５に格納した電子メール情報の使用を禁止、もしくは非許可の電話番号の携帯電話端末６１１からのＨＴＴＰサーバ６０７経由の接続要求であった場合、当該携帯電話端末６１１との接続を拒否することを可能とするようにしても良い。
【００７６】
さらに、携帯電話端末６１１のユーザの所在を、例えば入構証等による入退場管理などの方法によって把握して携帯電話個人情報管理システム６０１内のプレゼンスサーバ６０６へ登録することができる場合には、携帯電話端末６１１からの接続要求があったＨＴＴＰサーバ６０７は、プレゼンスサーバ６０６へ携帯電話端末６１１のユーザの所在を問い合わせ、構内にいるかいないかを確認した後、アドレス帳、ブックマーク、メールボックスの情報の開示を行うか否かを決定するようにすれば、やはり、携帯電話端末６１１の紛失、盗難等でのこれらの個人情報の利用を抑制することができる。また、ＨＴＴＰサーバ６０７側で携帯電話端末６１１のユーザの現在の所在場所を問い合わせる代わりに、アドレス帳サーバ６０３またはブックマーク情報サーバ６０４またはメースボックスサーバ６０５側で、ユーザの所在を問い合わせ、携帯電話端末６１１からの接続に際して、プレゼンスサーバ６０６に登録されている当該携帯電話端末６１１のユーザの現在の所在場所に応じて、当該携帯電話端末６１１との接続の可否を決定するようにしても良い。
【００７７】
ここで、アドレス帳サーバ６０３またはブックマーク情報サーバ６０４において携帯電話端末６１１の所望の接続先を検索する方法について、アドレス帳サーバ６０３の場合を例にとって、図７を用いてさらに説明する。図７は、本発明による携帯電話システムの第５の実施の形態における電話番号の検索方法の一例を説明するための説明図である。
【００７８】
図７において、携帯電話端末７０５（図６における携帯電話端末６１１に相当する）は、無線携帯電話基地局７０４およびＩＰ網７０３を経由して、ＨＴＴＰサーバ７０１（図６におけるＨＴＴＰサーバ６０７に相当する）に接続する。ＨＴＴＰサーバ７０１における認証が得られると、携帯電話端末７０５上では、ＨＴＴＰもしくはＨＴＴＰＳに従って、アドレス帳サーバ７０２（図６におけるアドレス帳サーバ６０３に相当する）に格納されている当該携帯電話端末７０５のユーザに関する各連絡先を閲覧することができる。
【００７９】
携帯電話端末７０５のユーザが、閲覧した各連絡先の中から、１つの連絡先例えばＡさんを選択すると、ＨＴＴＰサーバ７０１は、例えはＨＴＭＬ言語の「ｐｈｏｎｅ  ｔｏ」で記述されたＡさんの電話番号を用いて発呼する。これにより、電話番号情報を、携帯電話端末７０５に保存することなく、アドレス帳サーバ７０２に格納された当該携帯電話端末７０５に関する電話帳の電話番号に対して発呼することができる。すなわち、図６のシステム構成で説明すれば、携帯電話端末６１１のユーザの個人情報としてアドレス帳サーバ６０３に登録されている電話番号のいずれかを選択して、ＨＴＭＬ言語「ｐｈｏｎｅ  ｔｏ」で記述された電話番号をＩＰ網６０８に送信することによって、例えば電話網６０９経由で、携帯電話端末６１２や電話端末６１３に対して発呼することができる。
【００８０】
次に、ブックマーク情報サーバ６０４において携帯電話端末６１１の所望のブックマークを検索する方法について、図８を用いてさらに説明する。図８は、本発明による携帯電話システムの第５の実施の形態におけるブックマークの検索方法の一例を説明するための説明図である。
【００８１】
図８において、携帯電話端末８０５（図６における携帯電話端末６１１に相当する）は、無線携帯電話基地局８０４およびＩＰ網８０３を経由して、ＨＴＴＰサーバ８０１（図６におけるＨＴＴＰサーバ６０７に相当する）に接続する。ＨＴＴＰサーバ８０１における認証が得られると、携帯電話端末８０５上では、ＨＴＴＰもしくはＨＴＴＰＳに従って、ブックマーク情報サーバ８０２（図６におけるブックマーク情報サーバ６０４に相当する）に格納されている当該携帯電話端末８０５のユーザに関する各ブックマーク情報を閲覧することができる。
【００８２】
携帯電話端末８０５のユーザが、閲覧した各ブックマーク情報の中から、１つのブックマーク情報例えばお気に入りＡを選択すると、ＨＴＴＰサーバ８０１は、例えばＨＴＭＬ言語の「ＵＲＬ」で記述されたお気に入りＡのウェブサーバに接続する。これにより、ブックマーク情報を、携帯電話端末８０５に保存することなく、ブックマーク情報サーバ８０２に格納された当該携帯電話端末８０５に関するブックマーク情報を利用して、インターネット上のウェブサーバにアクセスすることができる。すなわち、図６のシステム構成で説明すれば、携帯電話端末６１１のユーザの個人情報としてブックマーク情報サーバ６０４に登録されているブックマーク情報のいずれかを選択して、ＨＴＭＬ言語「ＵＲＬ」で記述されたアドレス情報をＩＰ網６０８に送信することによって、インターネット上のウェブサーバにアクセスすることができる。
【００８３】
さらに、メールボックスサーバ６０５において携帯電話端末６１１の所望の電子メール情報を検索する方法について、図９を用いてさらに説明する。図９は、本発明による携帯電話システムの第５の実施の形態における電子メール情報の検索方法の一例を説明するための説明図である。
【００８４】
図９において、携帯電話端末９０５（図６における携帯電話端末６１１に相当する）は、無線携帯電話基地局９０４およびＩＰ網９０３を経由して、ＨＴＴＰサーバ９０１（図６におけるＨＴＴＰサーバ６０７に相当する）に接続する。ＨＴＴＰサーバ９０１における認証が得られると、携帯電話端末９０５上では、ＨＴＴＰもしくはＨＴＴＰＳもしくはＩＭＡＰ４プロトコルに従って、メールボックスサーバ９０２（図６におけるメールボックスサーバ６０５に相当する）に格納されている当該携帯電話端末９０５のユーザに関する各電子メール情報を閲覧することができる。
【００８５】
携帯電話端末９０５のユーザが、閲覧した各電子メール情報の中から、１つの電子メール情報例えば電子メール１を選択すると、ＨＴＴＰサーバ９０１は、メールボックスサーバ９０２に格納されている電子メール情報例えば電子メール１の「［依頼］○○に関して」を読み出して、ＨＴＴＰもしくはＨＴＴＰＳもしくはＩＭＡＰ４プロトコルに従って、携帯電話端末９０５に送信する。これにより、電子メール情報を、携帯電話端末９０５に保存することなく、メールボックスサーバ９０２に格納された当該携帯電話端末９０５に関する電子メール情報を閲覧することができる。すなわち、図６のシステム構成で説明すれば、携帯電話端末６１１のユーザの個人情報としてメールボックスサーバ６０５に格納されている電子メール情報のいずれかを選択することによって、ＨＴＴＰもしくはＨＴＴＰＳもしくはＩＭＡＰ４プロトコルに従って、所望の電子メール情報を閲覧することができる。
【００８６】
以上に詳細に説明したように、本発明を用いれば、携帯電話端末の紛失、盗難などによる個人情報の流出を確実に防止することが可能である。また、本発明を用いれば、携帯電話端末のユーザの利便性を損なうことなく、前述の効果を得ることができる。さらには、本発明を用いれば、携帯電話端末のユーザが個人情報保護をほとんど意識することなく、前述の効果を得ることができる。
【００８７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００８８】
【図１】本発明による携帯電話システムの第１の実施の形態の構成例を示すシステム構成図である。
【図２】本発明による携帯電話システムの第２の実施の形態の構成例を示すシステム構成図である。
【図３】本発明による携帯電話システムの第３の実施の形態の構成例を示すシステム構成図である。
【図４】本発明による携帯電話システムの第４の実施の形態の構成例を示すシステム構成図である。
【図５】本発明による携帯電話システムの第４の実施の形態における電話番号の検索方法の一例を説明するための説明図である。
【図６】本発明による携帯電話システムの第５の実施の形態の構成例を示すシステム構成図である。
【図７】本発明による携帯電話システムの第５の実施の形態における電話番号の検索方法の一例を説明するための説明図である。
【図８】本発明による携帯電話システムの第５の実施の形態におけるブックマークの検索方法の一例を説明するための説明図である。
【図９】本発明による携帯電話システムの第５の実施の形態における電子メール情報の検索方法の一例を説明するための説明図である。
【符号の説明】
【００８９】
１０１、２０３、３０３                  無線ＬＡＮアクセスポイント
１０２、２０９、３０９                  無線ＬＡＮエリア
１０３、１０６、２０８、３０８、４０６、４０７、５０５、６１１、６１２、７０５、８０５、９０５                  携帯電話端末
１０３ａ、１０６ａ、２０８ａ、３０８ａ  アドレス帳機能
１０３ｂ、１０６ｂ、２０８ｂ、３０８ｂ  ブックマーク機能
１０３ｃ、１０６ｃ、２０８ｃ、３０８ｃ  メールボックス機能
１０４、４０５、５０４、６１０、７０４、８０４、９０４
無線携帯電話基地局
１０５                                  携帯電話エリア
２０１、３０１                          入退場管理エリア
２０２、３０２、４０２、６０２          ネットワーク
２０４、４０３、５０２、６０３、７０２  アドレス帳サーバ
２０５、６０４、８０２                  ブックマーク情報サーバ
２０６、６０５、９０２                  メールボックスサーバ
３１０                                  鍵データサーバ
４０１                                  アドレス帳管理システム
４０４、５０３、６０９                  電話網
４０８、６１３                          電話端末
４０９、５０１、６０６                  プレゼンスサーバ
６０１                                  携帯電話個人情報管理システム
６０７、７０１、８０１、９０１          ＨＴＴＰサーバ
６０７ａ                                認証サーバ
６０８、７０３、８０３、９０３          ＩＰ網
【図１】
2007318245.tif 000003
【図２】
2007318245.tif 000004
【図３】
2007318245.tif 000005
【図４】
2007318245.tif 000006
【図５】
2007318245.tif 000007
【図６】
2007318245.tif 000008
【図７】
2007318245.tif 000009
【図８】
2007318245.tif 000010
【図９】
2007318245.tif 000011